(57)【特許請求の範囲】
【請求項１】
画像データの転送機能を有するカメラ移動体電話一体型複合端末装置であって、
撮影画像ごとに画像データを生成する手段と、
前記生成された画像データを複数画像分記憶する記憶手段と、
前記複数の画像のうち、送信先の端末装置への転送を希望する画像を選択する手段と、
前記選択した画像の画像データの転送に要する時間の合計が、通信についての予め定められた制限時間を超えない場合に限り、前記選択した画像の画像データのすべてを送信先の端末装置へ送信する手段とを備えた、カメラ移動体電話一体型複合端末装置。
【請求項２】
前記選択した画像の画像データの転送に要する時間の合計が、前記予め定められた制限時間を超えた場合、前記制限時間を超えるに至った画像を、前記選択された画像から除外する手段をさらに備えた、請求項１に記載のカメラ移動体電話一体型複合端末装置。
【請求項３】
前記制限時間を超えるに至った画像の前記選択された画像からの除外をユーザに表示する手段をさらに備えた、請求項２に記載のカメラ移動体電話一体型複合端末装置。
【請求項４】
前記送信する手段は、送信先の端末装置からのバッテリ残量の通知を待ってから画像データの送信を行なう、請求項１から３のいずれかに記載のカメラ移動体電話一体型複合端末装置。
【請求項５】
前記画像データの転送は、ＰＨＳのトランシーバモードで行なわれる、請求項１から４のいずれかに記載のカメラ移動体電話一体型複合端末装置。
【請求項６】
画像データの転送機能を有するカメラ移動体電話一体型複合端末装置における画像データ転送制御方法であって、
撮像画像ごとに画像データを生成するステップと、
前記生成された画像データを複数画像分記憶するステップと、
前記複数の画像のうち、送信先の端末装置への転送を希望する画像を選択するステップと、
前記選択した画像の画像データの転送に要する時間の合計が、通信についての予め定められた制限時間を超えない場合に限り、前記選択した画像の画像データのすべてを送信先の端末装置へ送信するステップとを備えた、画像データ転送制御方法。
【請求項７】
前記選択した画像の画像データの転送に要する時間の合計が、前記予め定められた制限時間を超えた場合、前記制限時間を超えるに至った画像を、前記選択された画像から除外するステップをさらに備えた、請求項６に記載の画像データ転送制御方法。
【請求項８】
前記制限時間を超えるに至った画像の前記選択された画像からの除外をユーザに表示するステップをさらに備えた、請求項７に記載の画像データ転送制御方法。
【請求項９】
前記送信するステップは、送信先の端末装置からのバッテリ残量の通知を待ってから画像データの送信を行なう、請求項６から８のいずれかに記載の画像データ転送制御方法。
【請求項１０】
前記画像データの転送は、ＰＨＳのトランシーバモードで行なわれる、請求項６から９のいずれかに記載の画像データ転送制御方法。
【発明の詳細な説明】
【０００１】
【発明の属する技術分野】
この発明は、カメラ移動体電話一体型複合端末装置、およびそのような装置における画像データの転送制御方法に関し、より特定的には、通信時間が制限されたＰＨＳのトランシーバモードにおいて送信先の端末装置との間で画像データの転送を確実に実行することができるカメラ移動体電話一体型複合端末装置、およびその画像データ転送制御方法に関するものである。
【０００２】
【従来の技術】
近年の移動体通信の著しい発達に伴い、移動体通信端末装置に通信機能以外のさまざまな機能を付加することが提案されている。そのような複合端末装置の一例として、デジタルスチルカメラ（ＤＳＣ）と、ＰＨＳなどの移動体電話の端末機とを一体化して構成した、カメラ移動体電話一体型複合端末装置が提案されている。
【０００３】
このような複合端末装置は、通常のＰＨＳ端末機として公衆モードおよびトランシーバモードのいずれにおいても従来通りの音声による通話が可能であるとともに、送信先が同様の複合端末装置である場合には、当該ＰＨＳ端末機と一体化されたＤＳＣによって撮影された画像データの送信先端末機への転送も可能である。
【０００４】
【発明が解決しようとする課題】
ところで、ＰＨＳによる通話・データ通信には、上述のように公衆回線を用いる公衆モードと、登録した端末機同士で直接通信するトランシーバモードとがある。そしてトランシーバモードに関しては、連続的な通話またはデータ通信の時間がある一定時間（たとえば３分間）内に法律によって制限されている。したがって、トランシーバモードでは、通話または通信の開始後一定時間経過すると送信先との接続が自動的に切断されるため、送信先との再接続を行なった上で通話または通信を続行しなければならない。
【０００５】
音声による通話の場合には、送信先との再接続後、通話を継続すれば特に大きな支障はないが、データ通信の場合には通信中の切断によりデータにエラーが発生してしまうことになる。
【０００６】
特に、上述のように一体化されたＤＳＣを用いて撮影した複数画像分の画像データを送信先の端末機にトランシーバモードで転送する場合に送信途中で上記一定の制限時間が経過してしまうと、送信が中断しエラーが発生してしまうことになる。そのような場合には、送信先との再接続後に、当該エラーが発生した画像データを再度転送し直す必要が生じ、画像データの転送操作が非常に煩雑なものになるという問題がある。
【０００７】
それゆえに、この発明の目的は、画像データの送信先端末機への転送途中における、通信時間規制に起因するエラーの発生を防止したカメラ移動体電話一体型複合端末装置および画像データ転送制御方法を提供することである。
【０００８】
【課題を解決するための手段】
請求項１に記載の発明によれば、画像データの転送機能を有するカメラ移動体電話一体型複合端末装置は、撮影画像ごとに画像データを生成する手段と、生成された画像データを複数画像分記憶する記憶手段と、複数の画像のうち、送信先の端末装置への転送を希望する画像を選択する手段と、選択した画像の画像データの転送に要する時間の合計が、予め定められた制限時間を超えない場合に限り、選択した画像の画像データのすべてを送信先の端末装置へ送信する手段とを備える。
【０００９】
このように構成したことにより、画像データの転送に要する時間が常に、法律で定められた通信制限時間内に収まるように送信画像の選択が制御されるので、画像データの転送途中に、通信時間規制に起因する通信の切断ならびにエラーの発生を防止することができる。
【００１０】
請求項２に記載の発明によれば、請求項１に記載のカメラ移動体電話一体型複合端末装置において、選択した画像の画像データの転送に要する時間の合計が、予め定められた制限時間を超えた場合、制限時間を超えるに至った画像を、選択された画像から除外する手段をさらに備える。
【００１１】
このように構成したことにより、制限時間を超えるに至った画像のみが選択された画像から除外されることで、画像データの転送に要する時間が常に、法律で定められた通信制限時間内に収まるように送信画像の選択が制御されるので、画像データの転送途中に、通信時間規制に起因する通信の切断ならびにエラーの発生を防止することができる。さらには、選択した画像がすべてキャンセルされたり、削除する画像の選択を要求されないので、画像選択の操作性に優れている。
【００１２】
請求項３に記載の発明によれば、請求項２に記載のカメラ移動体電話一体型複合端末装置において、制限時間を超えるに至った画像の選択された画像からの除外をユーザに表示する手段をさらに備える。
【００１３】
このように構成したことにより、制限時間を超えるに至った画像が、選択された画像から除外されることが、ユーザに表示されるので、送信忘れ等を防ぐことができる。
【００１４】
請求項４に記載の発明によれば、請求項１から３のいずれかに記載のカメラ移動体電話一体型複合端末装置において、画像データの転送は、ＰＨＳのトランシーバモードで行なわれる。
【００１５】
このように構成することにより、法律による通信時間規制が現実に実施されているＰＨＳのトランシーバモードであっても、通信の切断およびエラーの発生を防止することができるなど、上述の各請求項の発明の効果を達成することができる。
【００１６】
請求項５に記載の発明によれば、画像データの転送機能を有するカメラ移動体電話一体型複合端末装置における画像データ転送制御方法は、撮像画像ごとに画像データを生成するステップと、生成された画像データを複数画像分記憶するステップと、複数の画像のうち、送信先の端末装置への転送を希望する画像を選択するステップと、選択した画像の画像データの転送に要する時間の合計が、予め定められた制限時間を超えない場合に限り、選択した画像の画像データのすべてを送信先の端末装置へ送信するステップとを備える。
【００１７】
このように構成したことにより、画像データの転送に要する時間が常に、法律で定められた通信制限時間内に収まるように送信画像の選択が制御されるので、画像データの転送途中に、通信時間規制に起因する通信の切断ならびにエラーの発生を防止することができる。
【００１８】
請求項６に記載の発明によれば、請求項５に記載の画像データ転送制御方法において、選択した画像の画像データの転送に要する時間の合計が、予め定められた制限時間を超えた場合、制限時間を超えるに至った画像を、選択された画像から除外するステップをさらに備える。
【００１９】
このように構成したことにより、制限時間を超えるに至った画像のみが選択された画像から除外されることで、画像データの転送に要する時間が常に、法律で定められた通信制限時間内に収まるように送信画像の選択が制御されるので、画像データの転送途中に、通信時間規制に起因する通信の切断ならびにエラーの発生を防止することができる。さらには、選択した画像がすべてキャンセルされたり、削除する画像の選択を要求されないので、画像選択の操作性に優れている。
【００２０】
請求項７に記載の発明によれば、請求項６に記載の画像データ転送制御方法において、制限時間を超えるに至った画像の選択された画像からの除外をユーザに表示するステップをさらに備える。
【００２１】
このように構成したことにより、制限時間を超えるに至った画像が、選択された画像から除外されることが、ユーザに表示されるので、送信忘れ等を防ぐことができる。
【００２２】
請求項８に記載の発明によれば、請求項５から７のいずれかに記載の画像データ転送制御方法において、画像データの転送は、ＰＨＳのトランシーバモードで行なわれる。
【００２３】
このように構成することにより、法律による通信時間規制が現実に実施されているＰＨＳのトランシーバモードであっても、通信の切断およびエラーの発生を防止することができるなど、上述の各請求項の発明の効果を達成することができる。
【００２４】
【発明の実施の形態】
以下に、この発明の実施の形態によるカメラ移動体電話一体型複合端末装置について詳細に説明する。なお、以下の説明においては、カメラとしてはＤＳＣを用い、移動体電話としてはＰＨＳを採用した装置を例に説明する。したがって、この実施の形態による複合端末装置のことを、以下に、ＤＳＣ・ＰＨＳ複合端末機と称することとする。
【００２５】
図１は、この発明の実施の形態によるＤＳＣ・ＰＨＳ複合端末機の外観斜視図であり、図１の（ａ）は正面から、そして（ｂ）は裏面から見た図である。
【００２６】
図１（ａ）を参照して、ＤＳＣ・ＰＨＳ複合端末機の本体１の正面には、レンズ２が取付けられている。また、本体１の上面には、複合端末機のメインスイッチ３、シャッタボタン４、およびアンテナ５が取付けられている。
【００２７】
図１（ｂ）を参照して、ＤＳＣ・ＰＨＳ複合端末機の本体１の裏面には、ＬＣＤで構成された表示部６が形成されている。表示部６の周囲には、モードボタン７、セットボタン８、および方向ボタン９が設けられている。これらのボタン７〜９は、シャッタボタン４とともに、ユーザの操作入力のための入力手段を構成している。
【００２８】
図２は、図１に示したこの発明の実施の形態によるＤＳＣ・ＰＨＳ複合端末機の電気的構成を示す概略ブロック図である。図２を参照して、この発明の実施の形態によるＤＳＣ・ＰＨＳ複合端末機の電気的構成について説明する。
【００２９】
レンズ２を介して図示しない被写体から入射した光信号は、ＣＣＤ１０で受光され、電気信号である画像信号に変換される。画像処理回路１１は、この画像信号をデジタル処理して画像データを生成し、バス１００に与える。画像データＲＡＭ１２は、バス１００から画像データを受取って格納するメモリである。また、表示処理回路１３は、バス１００から画像データを受取って、ＬＣＤからなる表示部６に画像を表示するための処理を行なう回路であり、ビデオメモリ等を含んでいる。
【００３０】
一方、バス１００には、ＣＰＵ１４、ＲＯＭ１５、ＲＡＭ１６、時計回路１７および入力手段１８がさらに接続されている。
【００３１】
ＣＰＵ１４は、ＤＳＣ・ＰＨＳ複合端末機のうち、ＰＨＳ端末機の無線データ通信処理部を除く、他のすべての部分の動作を全体的に制御する。また、ＲＯＭ１５は、この複合端末機を動作させるための各種のプログラムを格納したメモリであり、ＲＡＭ１６はワークエリアとして機能するメモリである。
【００３２】
時計回路１７は、通話・通信時に法定の制限時間を計時するための回路であり、入力手段１８は、前述のシャッタボタン４、モードボタン７、セットボタン８、および方向ボタン９などのユーザの操作入力のための手段を総称したものである。
【００３３】
なお、バッテリ２０からは、電源回路２１を介して、複合端末機の各回路に電源供給がなされる。またバッテリ２０の残量であるバッテリレベルが常にバッテリレベル監視回路１９によってモニタされ、その結果はバス１００へ与えられる。
【００３４】
一方、バス１００に接続された無線データ通信処理部２２は、移動体電話機としてのＰＨＳのデータ通信機能を制御する。より詳細には、無線データ通信処理部２２は、ＣＰＵ１４との間でバス１００を介して送受信されるデータを、送信先（接続先）の端末機との間でエラーを伴うことなく転送するようにさまざまな制御を行なう。また、ＣＰＵ１４からのコマンドに応じて、送信先の端末機との接続／切断の制御も行なう。
【００３５】
ベースバンド処理回路２３および無線部２４は、無線データ通信処理部２２の処理の下に、移動体電話機としてのＰＨＳの基本機能を実現するものである。特に、ベースバンド処理回路２３は、通常の通話機能に加えてデータ通信機能をも備えており、また前述の公衆モードとトランシーバモードとの切換機能をも有している。無線部２４はアンテナ５を介して送信先（接続先）の端末機との無線通信を行なうための送受信回路として機能する。
【００３６】
次に、図１および図２に示したＤＳＣ・ＰＨＳ複合端末機の基本的な動作について説明する。
【００３７】
［画像の撮影］
ユーザが図１のシャッタボタン４（図２の入力手段１８の一部）を操作することにより、被写体からレンズ２を介してＣＣＤ１０に光信号が入射し、画像信号に変換される。この画像信号は、画像信号処理回路１１でデジタル処理されて画像データとなり、バス１００を介して画像データ用ＲＡＭ１２に格納される。
【００３８】
［画像の表示］
画像の撮影時や再生時には、画像データ用ＲＡＭ１２から、入力手段１８を介して指定された画像の画像データが読出され、バス１００を介して表示処理回路１３に転送される。表示処理回路１３は、ＬＣＤの表示部６に画像を表示するための処理を行なう。
【００３９】
［画像の送信］
まず、ユーザが入力手段１８を使って送信したい所望の画像を選択する。より詳細には、モードスイッチ７で送信画像選択モードに入った後、方向ボタン９で送信したい画像を選び、セットスイッチ８で選択登録する、という動作を行なう。
【００４０】
その後、ユーザは入力手段１８を操作して、公衆モードまたはトランシーバモードで接続先の端末機を指定し、ＣＰＵ１４はこれに応じて、無線データ通信処理部２２に対してコマンドを発行し、無線データ通信処理部２２は所望の接続先への接続を実行する。
【００４１】
接続に成功した場合、選択登録された画像の画像データが画像データ用ＲＡＭ１２から読出され、バス１００を介して無線データ通信処理部２２に転送される。そして無線データ通信処理部２２は受取ったデータを、ベースバンド処理回路２３、無線部２４およびアンテナ５を介して接続先の端末機に送信するよう必要な処理を行なう。
【００４２】
［画像の受信］
相手方の複合端末機から画像データが転送されてきた場合、まずベースバンド処理回路２３が画像データの着信を検出し、ＣＰＵ１４に通知する。ＣＰＵ１４はこれに応じて無線データ通信処理部２２に対してコマンドを発生し、無線データ通信処理部２２に相手方との接続処理を行なわせる。
【００４３】
相手方との接続が完了すると、無線データ通信処理部２２は、接続先の複合端末機から受信したデータをバス１００を介してＣＰＵ１４に転送する。ＣＰＵ１４は受取った画像データを画像データ用ＲＡＭ１２に格納する。
【００４４】
［バッテリレベルデータの交換］
受信側の複合端末機のＣＰＵ１４は、バッテリレベル監視回路１９によってバッテリ２０の残量（バッテリレベル）を計測し、その値を送信側の複合端末機に通知する。送信側の複合端末機のＣＰＵ１４は、受信側からのその通知を待って画像データを転送する。
【００４５】
［この発明による送信画像選択モード］
次に、この発明の実施の形態によるＤＳＣ・ＰＨＳ複合端末機の送信画像選択モードの動作について詳細に説明する。
【００４６】
図３は、この発明の実施の形態によるＤＳＣ・ＰＨＳ複合端末機の送信画像選択モードの動作を示すフロー図である。このフロー図に示す送信画像選択モードの動作は、図２のＲＯＭ１５に格納されたプログラムに基づいてＣＰＵ１４によってソフトウェア的に実行される。
【００４７】
まず、ユーザが入力手段１８（モードスイッチ７）を用いて、送信画像選択モードを指定すると、ＣＰＵ１４は送信画像選択モードに入る（ステップＳ１）。送信画像選択が終了していなければ（ステップＳ２）、ユーザは入力手段１８（セットスイッチ８および方向ボタン９）を用いて、予め撮影され画像データＲＡＭ１２に記憶されている複数の画像のうち送信することを希望する１枚の画像を選択する（ステップＳ３）。
【００４８】
ＣＰＵ１４は、データ転送の転送レートに基づいて、当該選択画像の画像データを接続先に転送するのに要する時間を算出する（ステップＳ４）。そして算出した転送時間は、ＣＰＵ１４によって積算されていく（ステップＳ５）。
【００４９】
ステップＳ５で積算された時間が、法律によって定められているＰＨＳのトランシーバモードにおける通信の制限時間（たとえば３分間）に達していなければ（ステップＳ６）、当該画像の選択が決定され登録される（ステップＳ７）。
【００５０】
送信画像の選択がこれで終了すれば（ステップＳ２）、送信画像選択モードがこれで終了し、後続の画像送信動作によって、ステップＳ７において選択決定登録された画像の画像データが相手先の複合端末機に転送される。
【００５１】
一方、送信画像の選択が終了していなければ（ステップＳ２）、さらに次の所望の画像が選択され（ステップＳ３）、ＣＰＵ１４はその転送時間を算出する（ステップＳ４）。そして送信時間の積算値が更新され（ステップＳ５）、制限時間に達しているか否かが判断される（ステップＳ６）。制限時間に達していなければ、当該画像の選択が決定され登録される（ステップＳ７）。
【００５２】
このステップＳ２〜Ｓ７のループを繰返すうちに、ステップＳ６において、画像データの転送時間の積算値が制限時間を上回ったことが判断されれば、この制限時間を超えるに至った当該画像についてはステップＳ７の選択決定登録の対象とされず、したがって当該画像の画像データは、接続先へ転送される画像データからは除外されることになる。したがって、その旨がユーザに対しメッセージ表示され（ステップＳ８）、送信画像選択モードはこれで終了することになる。
【００５３】
その後、後続の画像送信動作によって、それまでにステップＳ７において選択決定登録がなされていた画像の画像データのみが相手先の複合端末機に転送されることになる。
【００５４】
以上のように、この発明の実施の形態によるＤＳＣ・ＰＨＳ複合端末機では、送信選択された画像のデータ転送時間の積算値が、法律で定められたトランシーバモードの通信の制限時間を超えることが予め判断された場合には、当該制限時間を超えるに至った画像を、実際に送信する画像から除外しているので、実際に画像の転送に要する時間が上記制限時間を超えることはない。したがって、画像データの転送中に通信が切断され、データ転送にエラーが発生するような事態を回避することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
以上のように、この発明のカメラ移動体電話一体型複合端末装置では、画像データの転送に要する時間が常に、法律で定められた制限時間内に収まるように送信画像の選択を制御しているので、画像データの転送途中に、通信時間規制に起因する通信の切断ならびにエラーの発生を防止することができる。
【図面の簡単な説明】
【図１】  この発明の実施の形態によるＤＳＣ・ＰＨＳ複合端末機の外観斜視図である。
【図２】  この発明の実施の形態によるＤＳＣ・ＰＨＳ複合端末機の電気的構成を示す概略ブロック図である。
【図３】  この発明の実施の形態によるＤＳＣ・ＰＨＳ複合端末機の送信画像選択モードの動作を示すフロー図である。
【符号の説明】
１  ＤＳＣ・ＰＨＳ複合端末機本体、２  レンズ、３  メインスイッチ、４  シャッタボタン、５  アンテナ、６  表示部、７  モードボタン、８  セットボタン、９  方向ボタン、１０  ＣＣＤ、１１  画像処理回路、１２  画像データＲＡＭ、１３  表示処理回路、１４  ＣＰＵ、１５  ＲＯＭ、１６  ＲＡＭ、１７  時計回路、１８  入力手段、１９  バッテリレベル監視回路、２０  バッテリ、２１  電源回路。
【図１】
0004601098.tif 000002
【図２】
0004601098.tif 000003
【図３】
0004601098.tif 000004